(57)【特許請求の範囲】
【請求項１】
便器本体側に設けられた洗剤貯留部の洗剤投入部を少なくとも露出させる開口を開閉可能なように、水平方向に沿う軸廻りに下端側を回動支点として前記便器本体に対して回動自在とされた扉体を備えており、
前記便器本体には、閉鎖状態の前記扉体の荷重の少なくとも一部が前記回動支点となる軸部及び軸受部に掛からないように、該扉体の上端側に設けられた被支持部を吊り上げるように支持する支持部が設けられ、前記扉体が閉鎖状態で、前記軸部の少なくとも上面側及び下面側の外周面とこれに対面する前記軸受部の内周面とが非接触となるように、扉体閉鎖状態における前記軸受部の上下方向の内径が前記軸部の外径よりも大とされており、
前記便器本体の支持部は、上方側に向く受面部を設けた構成とされている一方、前記扉体の被支持部は、当該扉体が閉鎖状態で下方側に向く被受面部を設けた構成とされ、かつ前記受面部に乗り上げるように支持される構成とされており、
前記被受面部の先端部には、閉鎖状態で前記便器本体内方側の斜め下方側に向く傾斜ガイド面が設けられていることを特徴とする便器装置。
【請求項２】
請求項１において、
前記扉体の上端側及び前記便器本体には、前記被支持部が前記支持部に支持された状態で、該扉体の上端側を押下げることで互いの係止の解除が可能とされた係止部がそれぞれに設けられていることを特徴とする便器装置。
【請求項３】
請求項１または２において、
前記便器本体には、前記洗剤投入部を露出させる開口が設けられ、かつ後部側方の本体機構部を覆うサイドカバーが設けられており、
前記扉体の回動支点となる前記軸部及び前記軸受部のうちの一方と前記支持部とを、前記本体機構部に対して固定的に設けていることを特徴とする便器装置。
【発明の詳細な説明】
【技術分野】
【０００１】
本発明は、便器装置に関する。
【背景技術】
【０００２】
従来より、ボウル部等の洗浄対象に向けて洗剤を供給可能な構成とされた便器装置が知られている。このような便器装置では、洗剤を貯留する洗剤貯留部に、適宜、洗剤を補給する必要があるが、見栄え上の観点等からは、洗剤の投入部を露出させる開口を開閉する蓋等を設けることが好ましい。このような蓋を脱離させて洗剤の補給を行う必要がある構造とすれば、洗剤を補給する際の作業が面倒になるということが考えられる。
例えば、下記特許文献１には、便器の後部側の機器収納部を覆うサイドカバーに洗剤タンクを露出させる孔を設け、この孔を開閉するタンクカバーを、底壁側を中心に便器の外側方に向けて回動自在に設けた構成とされた便器装置が開示されている。また、この便器装置は、タンクカバーの底壁に、サイドカバーの孔の下縁部の被係止部に対して回動自在に引掛け係止される下係止突部を設けた構成とされている。また、この便器装置は、タンクカバーの上壁に、サイドカバーの孔の上縁部の係止具に引っ掛け係止される上係止突部を上方に向けて突出させるように設けた構成とされている。
【先行技術文献】
【特許文献】
【０００３】
【特許文献１】特開２０１１−９４３２３号公報
【発明の概要】
【発明が解決しようとする課題】
【０００４】
しかしながら、上記特許文献１に記載された便器装置では、タンクカバーの全荷重が回動手段を構成するサイドカバーの孔の下縁部の被係止部やタンクカバーの下係止突部に閉位置において常に掛かることとなり、更なる改善が望まれる。
【０００５】
本発明は、上記実情に鑑みてなされたものであり、洗剤を補給する際の作業性を向上させながらも、洗剤投入部を露出させる開口を開閉する扉体の開閉機構の耐久性を向上し得る便器装置を提供することを目的としている。
【課題を解決するための手段】
【０００６】
前記目的を達成するために、本発明に係る便器装置は、便器本体側に設けられた洗剤貯留部の洗剤投入部を少なくとも露出させる開口を開閉可能なように、水平方向に沿う軸廻りに下端側を回動支点として前記便器本体に対して回動自在とされた扉体を備えており、前記便器本体には、閉鎖状態の前記扉体の荷重の少なくとも一部が前記回動支点となる軸部及び軸受部に掛からないように、該扉体の上端側に設けられた被支持部を吊り上げるように支持する支持部が設けられ、前記扉体が閉鎖状態で、前記軸部の少なくとも上面側及び下面側の外周面とこれに対面する前記軸受部の内周面とが非接触となるように、扉体閉鎖状態における前記軸受部の上下方向の内径が前記軸部の外径よりも大とされており、前記便器本体の支持部は、上方側に向く受面部を設けた構成とされている一方、前記扉体の被支持部は、当該扉体が閉鎖状態で下方側に向く被受面部を設けた構成とされ、かつ前記受面部に乗り上げるように支持される構成とされており、前記被受面部の先端部には、閉鎖状態で前記便器本体内方側の斜め下方側に向く傾斜ガイド面が設けられていることを特徴とする。
【発明の効果】
【０００７】
本発明に係る便器装置は、上述のような構成としたことで、洗剤を補給する際の作業性を向上させながらも、洗剤投入部を露出させる開口を開閉する扉体の開閉機構の耐久性を向上させることができる。
【図面の簡単な説明】
【０００８】
【図１】（ａ）、（ｂ）は、本発明の一実施形態に係る便器装置の一例を模式的に示し、（ａ）は、概略斜視図、（ｂ）は、一部破断概略斜視図である。
【図２】図１（ａ）におけるＸ１−Ｘ１線矢視に対応させた一部破断概略縦断面図である。
【図３】図１（ａ）におけるＸ２−Ｘ２線矢視に対応させた一部破断概略縦断面図である。
【図４】図３に対応させた一部破断概略縦断面図である。
【図５】（ａ）、（ｂ）は、同便器装置が備える扉体の一例を模式的に示す概略斜視図、（ｃ）は、図２に対応させた一部破断概略拡大縦断面図、（ｄ）は、図３に対応させた一部破断概略拡大縦断面図である。
【発明を実施するための形態】
【０００９】
以下に本発明の実施の形態について、図面に基づいて説明する。
図１〜図５は、本実施形態に係る便器装置を模式的に示す図である。
なお、以下の実施形態では、設置された便器装置に対して立位使用状態で対面した状態を基準として、手前側を前方、その逆側を後方とし、この前後方向を便器装置の奥行方向とし、左右方向を便器装置の幅方向として説明する。
【００１０】
本実施形態に係る便器装置１は、図１に示すように、床等の設置面に設置される着座式の洋風便器装置とされている。また、便器装置１は、便器本体１０側に設けられた洗剤貯留部２０の洗剤投入部２１を少なくとも露出させる開口２５を開閉可能なように、便器本体１０に対して回動自在とされた扉体３０を備えている。
便器本体１０には、ボウル部（便鉢）や、給排水管に接続される給排水機構等を備えた本体機構部１１が設けられている。また、便器本体１０には、ボウル部に対して開閉自在（起倒自在）とされた便蓋及び便座が設けられている。また、本実施形態では、便器装置１を、水洗タンクを備えていない、いわゆるタンクレスタイプのものとした例を示している。なお、このような態様に代えて、水洗タンクを備えた構成としてもよい。
【００１１】
本体機構部１１には、便蓋及び便座を開閉可能に軸支し、各種機能装置や機能部材等が設けられた機構ユニット１３や、この機構ユニット１３やボウル部等を支持し設置面に固定される本体フレーム１２が設けられている。
また、本体機構部１１の給水機構としては、ボウル部の上端に周設されたリム部及びボウル部の内壁を洗浄するように洗浄用水を供給する構成とされたものとしてもよい。また、本体機構部１１の排水機構としては、ボウル部の底部に設けられた排水口に接続された筒状トラップを駆動機構によって回動させて排水及び封水する構成とされたいわゆるターントラップ式のものとしてもよい。なお、排水機構としては、このような態様に限られず、サイホン式やサイホンゼット式、サイホンボルテックス式等の他の排水機構を採用するようにしてもよい。
【００１２】
また、本体機構部１１には、洗剤貯留部２０から洗浄対象に向けて洗剤を供給する洗剤供給装置が設けられている。このような洗剤供給装置としては、詳細な図示は省略しているが、洗剤貯留部２０に接続される管路の下流側を、上記した給水機構の給水管路に接続し、洗浄用水に洗剤を混入させて供給する構成とされたものとしてもよい。つまり、洗浄対象を、ボウル部の上端に周設されたリム部及びボウル部の内壁としてもよい。この給水管路に洗剤を供給する構成としては、洗剤ポンプ等によって供給する構成としてもよく、または、給水管路にベンチュリー管状の絞り部を設けて負圧作用によって供給する構成としてもよい。また、このように、洗剤を洗浄用水に混入させて供給する場合には、空気混入部等を有した微細気泡発生部を設けて微細気泡を更に含有させて供給する構成としてもよい。または、洗浄用水に混入させずに洗剤のみを洗浄対象に向けて供給する構成としてもよい。また、洗剤貯留部２０に接続される管路の接続先は、上記したような給水機構の給水管路に限られず、例えば、局部洗浄装置のノズル部としてもよく、これらとは別途に設けられ洗浄対象としてのボウル部内面に向けて洗浄用水を供給する専用管路としてもよい。また、洗剤を混入させた洗浄用水または洗剤のみをミスト状にして噴霧する態様等とされたものとしてもよい。
【００１３】
また、本体機構部１１（機構ユニット１３）に、便蓋及び便座を開閉する開閉装置や、脱臭装置、局部洗浄装置、便座や局部洗浄用水等を温める加熱装置、洗剤供給装置等の各種機能装置や機能部材を設けた構成としてもよい。また、本体機構部１１に、人体検知センサや着座センサ等の各種センサを設けた構成としてもよく、上記した各種機能装置を操作する操作部としてのリモコン装置や、リモコン装置の各種信号の送受信を可能とする送受信装置等を設けた構成としてもよい。
【００１４】
また、便器本体１０には、便器本体１０の前方側部位（ボウル部）及び左右両側方の前方側部位を覆うように配されるスカート部２２が設けられている。また、本実施形態では、便器本体１０の後部側方の本体機構部１１を覆うサイドカバー２４を、スカート部２２の後側縁部に連なるように設けている。このサイドカバー２４は、厚さ方向を概ね便器幅方向に沿わせて配される薄板状とされている。図例では、サイドカバー２４を、上端よりも下端が便器幅方向中心（内方）側に位置するように傾斜状に設けた例を示している。なお、図１では、左右方向（便器幅方向）一方側のサイドカバー２４のみを図示しているが、便器幅方向他方側にも概ね同様なサイドカバーが設けられている。また、便器本体１０には、サイドカバー２４の上方側に設けられ、便器後部かつ上部の外郭ケースを構成する上部カバー２３や、便器本体１０の後方側部位を覆うように配されるリアカバー等が設けられている。
これらスカート部２２やサイドカバー２４、上部カバー２３、リアカバーは、本体フレーム１２や機構ユニット１３等に取り付けられるものとしてもよい。
【００１５】
また、本実施形態では、便器幅方向一方側のサイドカバー２４に、洗剤投入部２１を露出させる開口２５を設けた構成としている。
開口２５は、図１（ｂ）及び図２に示すように、サイドカバー２４を厚さ方向（便器幅方向）に貫通するように設けられている。本実施形態では、開口２５を、サイドカバー２４の厚さ方向に見て、上下に長尺な略矩形状としている。図例では、サイドカバー２４の上端縁部の便器奥行方向途中部位に開口２５が形成されるように、サイドカバー２４に厚さ方向に貫通し上方に開口するように設けられた凹所と上部カバー２３の下端縁部とによって開口２５を区画した例を示している。なお、開口２５を設ける位置としては、このような位置に限られず、種々の位置に設けるようにしてもよい。
【００１６】
洗剤貯留部２０は、図１（ｂ）及び図４に示すように、略直方体状とされ、便器幅方向一方側の後部側方の上下方向途中部位に設けられている。
本実施形態では、洗剤貯留部２０を、便器本体１０に対して開口２５を介して着脱可能とされた洗剤タンク２０としている。なお、開口２５の上下寸法及び便器奥行方向に沿う寸法を、洗剤タンク２０の着脱が可能なように洗剤タンク２０よりも大きい寸法とてもよい。
この洗剤タンク２０には、洗剤の投入（補充）が可能とされた洗剤投入部２１や、洗浄対象に向けて洗剤を供給する管路に接続される洗剤出口等が設けられている。
洗剤投入部２１は、洗剤タンク２０の上端部に設けられている。本実施形態では、この洗剤投入部２１を、便器本体１０の側部表面となるサイドカバー２４の表面よりも便器幅方向外方側に位置するように設けている。また、この洗剤投入部２１には、洗剤投入口を開閉自在に封止する蓋部材（キャップ）等が設けられている。
また、本実施形態では、この洗剤投入部２１を含み、洗剤タンク２０の便器幅方向外方側部位が、サイドカバー２４の表面よりも便器幅方向外方側に突出する構成としている。
【００１７】
この洗剤タンク２０は、本体機構部１１に設けられたタンク保持部１７に保持されている。
タンク保持部１７には、図１（ｂ）及び図２に示すように、便器幅方向外方側及び上方側に向けて開口し、洗剤タンク２０を受け入れるタンク受入凹所１８が設けられている。このタンク受入凹所１８の底側を区画するタンク保持部１７の底壁部及びタンク受入凹所１８の便器奥行方向両側を区画する前後の壁部は、サイドカバー２４の表面よりも便器幅方向外方側に突出するように設けられている。このタンク保持部１７の底壁部及び前後の壁部は、開口２５の下端縁及び便器奥行方向両側縁に沿うように設けられている。なお、このタンク保持部１７は、本体機構部１１の機構ユニット１３等に一体的に形成されたものとしてもよく、または、本体機構部１１の機構ユニット１３や本体フレーム１２等に適宜の固定具によって固定されたものとしてもよい。
【００１８】
開口２５を開閉する扉体としての洗剤タンクカバー３０は、水平方向に沿う軸廻りに下端側を回動支点として便器本体１０に対して回動自在とされている。
また、便器本体１０には、閉鎖状態の洗剤タンクカバー３０の荷重の少なくとも一部が回動支点となる軸部１９及び軸受部３５に掛からないように、洗剤タンクカバー３０の上端側に設けられた被支持部３７を吊り上げるように支持する支持部１５が設けられている。本実施形態では、軸受部３５を、閉鎖状態の洗剤タンクカバー３０の荷重の略全てが軸部１９及び軸受部３５に掛からないように支持部１５による扉体３０の吊り上げが可能なように軸部１９よりも大径状としている。また、本実施形態では、軸部１９を、便器本体１０に設け、軸受部３５を、洗剤タンクカバー３０に設けた構成としている。
また、本実施形態では、洗剤タンクカバー３０の上端側及び便器本体１０に、洗剤タンクカバー３０の被支持部３７が便器本体１０の支持部１５に支持された状態で、洗剤タンクカバー３０の上端側を押下げることで互いの係止の解除が可能とされた係止部１６，３９をそれぞれに設けている。
【００１９】
便器本体１０の係止部１６は、図２及び図５（ｃ）に示すように、開口２５の上端縁側に位置するように設けられている。本実施形態では、この係止部１６を、上部カバー２３やサイドカバー２４ではなく、本体機構部１１に対して固定的に設けている。また、この係止部１６を、開口２５の便器幅方向内方側（中心側）における便器奥行方向略中央部に設けている。
本実施形態では、この係止部１６を、開口２５の上端縁と略同高さに位置し、開口２５の便器幅方向内方側の機構ユニット１３に設けられた下方側に向く天面部に下方側に向けて開口するように設けられた係止凹部１６としている。この係止凹部１６は、当該係止凹部１６の開口方向に見て、略矩形穴状とされている。また、図例では、この係止凹部１６の便器幅方向内方側に向く内側壁を、便器幅方向内方側の斜め下方側に向く傾斜面とした例を示している。また、図例では、機構ユニット１３の天面部の便器幅方向外方側縁部に、便器幅方向外方側の斜め下方側に向く傾斜面を設けた例を示している。
【００２０】
便器本体１０の支持部１５は、図１（ｂ）、図３及び図４に示すように、開口２５の上端縁側に位置するように設けられている。この支持部１５は、開口２５の上端縁よりも下方側に位置するように設けられている。本実施形態では、この支持部１５を、上部カバー２３やサイドカバー２４ではなく、本体機構部１１に対して固定的に設けている。
また、本実施形態では、支持部１５を、上方側に向く受面部１５ａを設けた構成としている。
また、この支持部１５は、後記する洗剤タンクカバー３０の被支持部３７を受け入れ可能なように便器幅方向外方側に向けて開口する受入凹所１４を区画するように設けられており、この受入凹所１４の上方側に向く底面を、受面部１５ａとしている。受入凹所１４は、開口方向に沿う方向となる便器幅方向に見て、略方形状とされている。
また、本実施形態では、図３及び図５（ｄ）に示すように、受面部１５ａの便器幅方向外方側縁部に、便器幅方向外方側の斜め上方側に向く傾斜ガイド面１５ｂを設けている。
【００２１】
また、本実施形態では、上記した係止部１６の便器奥行方向両側に位置するように、一対の支持部１５，１５を設けている。つまり、これら支持部１５，１５の上方側に向く受面部１５ａ，１５ａによって底面が区画される受入凹所１４，１４を、係止凹部１６の便器奥行方向両側に位置するように設けている。本実施形態では、これら受入凹所１４，１４（支持部１５，１５）を、開口２５の便器奥行方向両側縁部のそれぞれにおける便器幅方向内方側に位置するように設けている。また、これら一対の受入凹所１４，１４同士及び一対の支持部１５，１５同士は、互いに概ね同様の構成とされ、略同高さかつ便器幅方向で略一致した位置となるように設けられている。
【００２２】
また、本実施形態では、これら支持部１５，１５を、厚さ方向を上下方向に沿わせた薄板状の支持片部１５，１５としている。また、これら支持片部１５，１５を、機構ユニット１３の下方側に向く天面部から下方側に向けて突出し、かつ各受入凹所１４，１４の便器奥行方向両内側面を区画する前後の壁部の下端部間に架け渡すように設けた構成としている。なお、これら受入凹所１４，１４の近接側のそれぞれの内側面の便器幅方向外方側縁部に、便器幅方向外方側に向かうに従い互いに近接する側に傾斜するような傾斜ガイド面を設けた態様としてもよい。
【００２３】
洗剤タンクカバー３０の回動支点となる軸部１９は、図３に示すように、便器奥行方向に軸方向を沿わせた構成とされている。この軸部１９は、開口２５の下端縁と略同高さに位置するように設けられている。本実施形態では、この軸部１９を、サイドカバー２４ではなく、本体機構部１１に対して固定的に設けている。また、本実施形態では、この軸部１９を、サイドカバー２４の表面よりも便器幅方向外方側に位置するように設けている。
また、本実施形態では、この軸部１９を、便器奥行方向に見て、支持片部１５，１５の便器幅方向外方側端部の概ね直下に位置するように設けている。図例では、便器奥行方向に見て、支持片部１５，１５の便器幅方向外方側端部よりも僅かに便器幅方向外方側に位置するように軸部１９を設けた例を示している。
【００２４】
また、図例では、サイドカバー２４の表面から突出するように設けられたタンク保持部１７の底壁部の先端部に軸部１９を設けた例を示している。この軸部１９は、例えば、タンク保持部１７の底壁部の先端部から便器幅方向外方側に向けて突出するようにかつ便器奥行方向に間隔を空けて設けられた一対の保持片部間に、架け渡すように固定的にまたは回動自在に設けられたものとしてもよい。また、この軸部１９を、便器奥行方向に間隔を空けてかつ互いに同軸状となるように複数箇所（例えば、二箇所）に設けるようにしてもよい。
なお、軸部１９は、軸方向両側端部が本体機構部１１（タンク保持部１７）に対して保持されたものに限られず、軸方向一方側端部が片持ち状に保持されたものとしてもよく、軸部１９の保持態様としては、その他、種々の変形が可能である。また、この軸部１９を含むタンク保持部１７や、機構ユニット１３の支持片部１５や係止凹部１６が設けられた天面部は、合成樹脂系材料や金属系材料等から形成されたものとしてもよい。
【００２５】
洗剤タンクカバー３０は、閉鎖状態で、便器幅方向に見て開口２５と略重なり合うような形状とされている（図１（ａ）参照）。本実施形態では、この洗剤タンクカバー３０を、図２に示すように、閉鎖状態で、開口２５を介してサイドカバー２４の表面から突出するように露出した洗剤タンク２０の便器幅方向外方側部位を覆う構成としている。つまり、本実施形態では、この洗剤タンクカバー３０を、洗剤タンク２０の便器幅方向外方側部位の受け入れが可能なように、閉鎖状態で便器幅方向内方側に向けて開口する凹所を設けた形状としている（図５（ａ）も参照）。
この洗剤タンクカバー３０は、閉鎖状態で洗剤タンク２０の突出するように露出した部位の便器幅方向外方側を覆う側表面カバー部３１を備えている。また、洗剤タンクカバー３０は、この側表面カバー部３１の上下両側縁（閉鎖状態における上下両側縁）及び便器奥行方向両側縁に連なるように設けられた上下のカバー部３６，３４及び前後のカバー部３２，３２を備えている。これら各カバー部３１，３２，３２，３４，３６は、いずれも薄板状とされている。
【００２６】
側表面カバー部３１は、当該洗剤タンクカバー３０が閉鎖状態で、サイドカバー２４と概ね平行状に配される構成とされている。
前後のカバー部３２，３２は、互いに平行状に設けられており、当該洗剤タンクカバー３０が閉鎖状態で洗剤タンク２０の突出するように露出した部位の便器奥行方向両側をそれぞれに覆う構成とされている。また、これら前後のカバー部３２，３２は、閉鎖状態で開口２５の便器奥行方向両側縁にそれぞれ当接または近接するように配される構成とされている。図例では、これら前後のカバー部３２，３２の閉鎖状態における便器幅方向内方側の端部が、閉鎖状態で、開口２５の便器奥行方向両側縁とタンク保持部１７の前後の壁部との間のそれぞれに納められる構成としている。
【００２７】
上下のカバー部３６，３４は、互いに平行状に設けられており、当該洗剤タンクカバー３０が閉鎖状態で洗剤タンク２０の突出するように露出した部位の上下両側をそれぞれに覆う構成とされている。また、これら上下のカバー部３６，３４は、閉鎖状態で開口２５の上下両側縁にそれぞれ当接または近接するように配される構成とされている。図例では、上カバー部３６の閉鎖状態における便器幅方向内方側の端部が、閉鎖状態で、開口２５の上端縁に当接または近接する構成としている。また、図例では、下カバー部３４の閉鎖状態における便器幅方向内方側の端部が、閉鎖状態で、タンク保持部１７の底壁部の先端部に近接して突き合わせられるように配される構成としている。
【００２８】
また、本実施形態では、図４及び図５（ａ）に示すように、洗剤タンクカバー３０に、開放状態において便器本体１０側に係止され、当該洗剤タンクカバー３０の開放状態を保持するストッパー部３３を設けている。図例では、前後のカバー部３２，３２のうちの一方側となる便器奥行方向後方側の後カバー部３２の下端部に連なるようにストッパー部３３を設けた例を示している。このストッパー部３３は、後カバー部３２の下端部から閉鎖状態における便器内方側に向けて突出し、かつ垂れ下がるような形状とされ、便器奥行方向に見て略円弧状（略ブーメラン状）とされている。また、このストッパー部３３の閉鎖状態における下端縁には、便器奥行方向一方側（図例では前方側）に向けて突出し、便器本体１０側に開放状態で係止される係止突部３３ａが設けられている。
【００２９】
また、本実施形態では、洗剤タンクカバー３０は、このストッパー部３３によって、閉鎖状態から概ね９０度回転した開放位置において保持される構成とされている。なお、洗剤タンクカバー３０の開放位置は、閉鎖状態から概ね９０度回転した位置に限られず、少なくとも洗剤投入部２１への洗剤の補給が可能となるように適宜の開放位置にて保持される態様としてもよい。
また、このストッパー部３３の係止突部３３ａは、タンク保持部１７等の本体機構部１１に対して係止されるものとしてもよく、または、開口２５の開口縁を構成するサイドカバー２４に係止されるものとしてもよい。
【００３０】
上記した便器本体１０側の係止凹部１６に係止される洗剤タンクカバー３０の係止部３９は、当該洗剤タンクカバー３０の閉鎖状態における上端部に設けられている。本実施形態では、係止部３９を、上カバー部３６に設けている。
この係止部３９は、上カバー部３６の側表面カバー部３１側とは異なる側の端部から閉鎖状態における便器幅方向内方側に向けて突出するように設けられた突片部３８に設けられている。
この突片部３８は、上カバー部３６の便器奥行方向略中央部に設けられている。また、本実施形態では、係止部３９を、この突片部３８の先端部から閉鎖状態における上方側に向けて突出するように設けられ、本体機構部１１の係止凹部１６に嵌め入れられるように係止する係止突部３９としている。
【００３１】
この係止突部３９は、図５（ａ）、（ｂ）に示すように、当該係止突部３９の突出方向に見て（突片部３８の厚さ方向に見て）、便器奥行方向に延びるように長尺な略矩形状とされている。また、この係止突部３９の両側面（突片部３８の突出方向に沿う方向の両側面）は、図５（ｃ）に示すように、当該係止突部３９の突出方向先側に向かうに従い先細状となるテーパー状の傾斜面とされている。
また、この係止突部３９は、図２に示すように、当該洗剤タンクカバー３０が閉鎖状態で、上カバー部３６の突片部３８の近傍部位の押下部３６ａを押下げることで、上カバー部３６の弾性変形を伴い下方側に変位する構成とされている。これにより、係止突部３９の係止凹部１６への係止が解除される。一方、図５（ｃ）に示すように、開放された洗剤タンクカバー３０を閉鎖させる際には、上カバー部３６の弾性変形を伴いながら突片部３８が機構ユニット１３の天面部の下方側に潜り込むように移動し、係止突部３９が係止凹部１６に係止される。また、図例では、上カバー部３６の押下部３６ａに、目印となる複数の突起を設けた例を示している。なお、洗剤タンクカバー３０の上端側を押下げることで互いの係止の解除が可能とされた係止部１６，３９としては、上記したような態様に限られず、種々の変形が可能である。
【００３２】
上記した便器本体１０側の支持部としての支持片部１５に支持される被支持部３７は、当該洗剤タンクカバー３０の閉鎖状態における上端部に設けられている。
本実施形態では、被支持部３７を、当該洗剤タンクカバー３０が閉鎖状態で下方側に向く被受面部３７ａを設けた構成とされ、かつ受面部１５ａに乗り上げるように支持される構成としている。また、本実施形態では、便器本体１０側の一対の支持片部１５，１５に対応させて、一対の被支持部３７，３７を設けている。これら一対の被支持部３７，３７は、互いに概ね同様の構成とされ、突片部３８の便器奥行方向両側に間隔を空けて設けられている。本実施形態では、これら一対の被支持部３７，３７を、当該洗剤タンクカバー３０の閉鎖状態における上端部の便器奥行方向両端部のそれぞれに設けている。このような構成とすれば、閉鎖状態の洗剤タンクカバー３０を、便器本体１０側の一対の支持片部１５，１５によって安定的に吊り上げ支持することができる。
【００３３】
また、本実施形態では、これら被支持部３７，３７を、厚さ方向を閉鎖状態における上下方向に沿わせた薄板状とされ、当該洗剤タンクカバー３０の閉鎖状態における上端部から便器幅方向内方側に向けて突出するように設けられた被支持片部３７，３７としている。図例では、これら被支持片部３７，３７の突出寸法を、突片部３８の突出寸法よりも小さい寸法とした例を示している。また、これら被支持片部３７，３７は、突片部３８よりも閉鎖状態における下方側に位置するように設けられている。また、本実施形態では、これら被支持片部３７，３７を、当該洗剤タンクカバー３０の上カバー部３６と前後のカバー部３２，３２との両入隅部のそれぞれに設けている。図例では、これら被支持片部３７，３７を、前後のカバー部３２，３２のそれぞれに連なるように設けた例を示している。
【００３４】
これら被支持片部３７，３７の閉鎖状態における下面が被受面部３７ａ，３７ａとされている。
これら被受面部３７ａ，３７ａの先端部には、図３に示すように、閉鎖状態で便器幅方向内方側の斜め下方側に向く傾斜ガイド面３７ｂ，３７ｂがそれぞれに設けられている。
また、図例では、これら被支持片部３７，３７の基端部の下面側に、支持片部１５，１５の先端部に当接して洗剤タンクカバー３０の更なる閉鎖側への回動を抑止するストッパー片を設けた例を示している。
【００３５】
また、本実施形態では、これら被支持片部３７，３７の互いに近接する側の縁部から閉鎖状態における上方に向けて立ち上がるように突出する立上片部を設けた構成としている。これら立上片部間の寸法は、上記した受入凹所１４，１４の近接側のそれぞれの内側面間の便器奥行方向に沿う寸法に応じた寸法とされている。また、図例では、これら立上片部の互いに対向する対向面の先端部に、先側に向かうに従い離間する方向に傾斜するような傾斜ガイド面を設けた例を示している。
これら被支持片部３７，３７及びこれらに連なる立上片部は、当該洗剤タンクカバー３０を閉鎖した状態では、本体機構部１１側に設けられた受入凹所１４，１４に収容される。
【００３６】
洗剤タンクカバー３０の軸受部３５は、便器本体１０側の軸部１９とによって開閉機構を構成する。
この軸受部３５は、当該洗剤タンクカバー３０が閉鎖状態で便器本体１０側の支持片部１５，１５に被支持片部３７，３７が乗り上げるように吊り上げ支持されるように、軸部１９の外径よりも少なくとも閉鎖状態における上下方向の内径が大きい径とされている。本実施形態では、図３に示すように、当該洗剤タンクカバー３０が閉鎖状態で軸部１９の上下両側の外周面と軸受部３５の上下両側の内周面との間に隙間が形成される構成としている。つまりは、軸部１９に、軸受部３５を介して当該洗剤タンクカバー３０の荷重の略全てが掛からない構成とされている。図例では、当該洗剤タンクカバー３０が閉鎖状態で軸部１９の外周面を全周に亘って軸受部３５に非接触とした例を示しているが、軸部１９に当該洗剤タンクカバー３０の荷重の略全てが掛からないように、少なくとも軸部１９の上面側の外周面を非接触としてもよい。
【００３７】
この軸受部３５の内径は、支持片部１５，１５に支持された状態の被支持片部３７，３７の被受面部３７ａ，３７ａから軸部１９の軸心までの寸法（被受面部回転半径）が、軸受部３５が軸部１９に当接支持された状態でかつ少なくとも閉鎖直前の状態の被受面部回転半径よりも大となるような径としてもよい。つまり、当該洗剤タンクカバー３０が開放位置から閉鎖状態の直前まで回動する際には、軸受部３５が軸部１９に当接支持される一方、当該洗剤タンクカバー３０が閉鎖状態では、上記のように軸部１９に洗剤タンクカバー３０の荷重の略全てが掛からないように隙間が形成される。なお、このような態様に代えて、上述の従来の便器装置のような閉位置においてタンクカバーの全荷重が回動手段に掛かるようなものよりも、軸部１９や軸受部３５に掛かる洗剤タンクカバー３０の荷重が小さくなる構成としてもよい。つまり、当該洗剤タンクカバー３０が閉鎖状態で、支持片部１５，１５によって吊り上げ支持されながらも、軸部１９の外周面と軸受部３５の内周面とが接触し、軸部１９に当該洗剤タンクカバー３０の荷重の一部が掛かるような態様としてもよい。
【００３８】
また、軸受部３５が軸部１９に当接支持された状態でかつ少なくとも閉鎖直前の状態の被受面部回転半径で、上記した支持片部１５，１５の傾斜ガイド面１５ｂ，１５ｂの先端と被支持片部３７，３７の傾斜ガイド面３７ｂ，３７ｂの先端とが当接するような構成としてもよい。このような構成とすれば、洗剤タンクカバー３０を閉鎖側に回動させれば、これら傾斜ガイド面１５ｂ，１５ｂ，３７ｂ，３７ｂの互いのガイド作用によって被支持片部３７，３７を支持片部１５，１５に乗り上げさせることができる。なお、このような傾斜ガイド面１５ｂ，１５ｂ，３７ｂ，３７ｂを設けないようにしてもよい。この場合は、洗剤タンクカバー３０を閉鎖する直前等に持ち上げることによって被支持片部３７，３７を支持片部１５，１５に乗り上げさせるようにしてもよい。
【００３９】
また、本実施形態では、この軸受部３５を、図３及び図５（ａ）に示すように、洗剤タンクカバー３０が便器本体１０側に対して着脱可能となるように、閉鎖環状とせずに、閉鎖状態における便器幅方向外方側に向けて開口する開環状としている。また、本実施形態では、この軸受部３５を、下カバー部３４の側表面カバー部３１側とは異なる側の端部（先端部）に設けている。図例では、下カバー部３４の先端部が軸受部３５の一部を構成するように、下カバー部３４の先端部に、軸部１９を包むように鉤状に屈曲する片部を設けた例を示している。
また、本実施形態では、下カバー部３４の先端部に、便器奥行方向に間隔を空けて二箇所に軸受部３５，３５を設けた構成としている。また、下カバー部３４の先端部における便器奥行方向両端部及び軸受部３５，３５間のそれぞれに、軸部１９を保持する保持片部を受け入れる凹所を設けた構成としている。なお、軸受部３５，３５としては、上記したような態様に限られず、種々の変形が可能である。
また、洗剤タンクカバー３０は、合成樹脂系材料や金属系材料等から一体的に形成されたものとしてもよい。
【００４０】
本実施形態に係る便器装置１は、上述のような構成としたことで、洗剤を補給する際の作業性を向上させながらも、洗剤投入部２１を露出させる開口２５を開閉する扉体（洗剤タンクカバー）３０の開閉機構の耐久性を向上させることができる。
つまり、便器本体１０側の洗剤貯留部（洗剤タンク）２０の洗剤投入部２１を少なくとも露出させる開口２５を開閉可能なように、水平方向に沿う軸廻りに下端側を回動支点として便器本体１０に対して回動自在とされた洗剤タンクカバー３０を設けた構成としている。従って、例えば、洗剤投入部２１を露出させる開口２５を開閉する蓋等を脱離させる必要があるものと比べて、洗剤を補給する際の作業性を向上させることができる。
【００４１】
また、便器本体１０に、閉鎖状態の洗剤タンクカバー３０の荷重の少なくとも一部が軸部１９及び軸受部３５に掛からないように、洗剤タンクカバー３０の上端側に設けられた被支持部（被支持片部）３７を吊り上げるように支持する支持部（支持片部）１５を設けている。従って、閉鎖状態の洗剤タンクカバー３０の全荷重が開閉機構を構成する軸部１９及び軸受部３５に掛かることを抑制することができ、洗剤タンクカバー３０の開閉機構の耐久性を向上させることができる。
【００４２】
また、本実施形態では、便器本体１０の支持片部１５を、上方側に向く受面部１５ａを設けた構成としている。また、洗剤タンクカバー３０の被支持片部３７を、洗剤タンクカバー３０が閉鎖状態で下方側に向く被受面部３７ａを設けた構成とし、かつ受面部１５ａに乗り上げるように支持される構成としている。従って、例えば、洗剤タンクカバー３０を吊り上げた状態で磁石や適宜の係止部等によって支持するようなものと比べて、支持片部１５の上方側に向く受面部１５ａによって洗剤タンクカバー３０を安定的に吊り上げ支持することができる。
【００４３】
また、本実施形態では、洗剤タンクカバー３０の上端側及び便器本体１０に、被支持片部３７が支持片部１５に支持された状態で、洗剤タンクカバー３０の上端側を押下げることで互いの係止の解除が可能とされた係止部１６，３９をそれぞれに設けている。従って、洗剤タンクカバー３０の上端側及び便器本体１０のそれぞれに設けられた係止部１６，３９の互いの係止によって洗剤タンクカバー３０の閉鎖状態を維持することができる。また、これら係止部１６，３９の係止を、洗剤タンクカバー３０の上端側を押下げることで解除することができるので、比較的に狭いトイレ室内等においても容易に洗剤タンクカバー３０を開放させることができる。また、洗剤タンクカバー３０の被支持片部３７が支持片部１５に支持された状態であるので、開放すべく洗剤タンクカバー３０を押下げた場合にも、その負荷が開閉機構を構成する軸部１９及び軸受部３５に掛かることを抑制することができ、これらの耐久性を向上させることができる。なお、このような係止部１６，３９を設けずに、支持片部１５に被支持片部３７を支持させること等によって洗剤タンクカバー３０の閉鎖状態が維持されるものとしてもよい。
【００４４】
また、本実施形態では、便器本体１０に、洗剤投入部２１を露出させる開口２５が設けられ、かつ後部側方の本体機構部１１を覆うサイドカバー２４を設けている。従って、便器本体１０の本体機構部１１を構成する本体フレーム１２や給排水管、各種機能部材等を、サイドカバー２４によって覆うことができ、見栄えを向上させることができる。
また、洗剤タンクカバー３０の回動支点となる軸部１９及び軸受部３５のうちの一方（本実施形態では、軸部１９）と支持片部１５とを、本体機構部１１に対して固定的に設けた構成としている。従って、例えば、サイドカバー２４等に、洗剤タンクカバー３０の回動支点となる軸部１９及び軸受部３５のうちの一方や支持片部１５を設けたものと比べて、洗剤タンクカバー３０を安定的に支持することができ、耐久性をより向上させることができる。なお、このような態様に代えて、洗剤タンクカバー３０の回動支点となる軸部１９及び軸受部３５のうちの一方や支持片部１５を、サイドカバー２４や上部カバー２３等の開口２５の周縁部を構成する部材に設けた態様としてもよい。
【００４５】
また、本実施形態では、便器本体１０の支持片部１５に上方側に向く受面部１５ａを設け、洗剤タンクカバー３０の被支持片部３７に閉鎖状態における下方側に向く被受面部３７ａを設けた構成とした例を示しているが、このような態様に限られない。例えば、洗剤タンクカバー３０の被支持部３７を上方側から把持するように係止する支持部１５としたり、さらには、面ファスナーや、磁石等によって洗剤タンクカバー３０を便器本体１０に対して吊り上げ支持する構成とされたものとしてもよい。その他、洗剤タンクカバー３０の被支持部３７及びこれを支持する便器本体１０の支持部１５としては、種々の変形が可能である。
また、本実施形態では、軸部１９を便器本体１０側に設け、軸受部３５を洗剤タンクカバー３０に設けた例を示しているが、軸部を洗剤タンクカバー３０に設け、軸受部を便器本体１０側に設けた構成としてもよい。この場合は、閉鎖状態で洗剤タンクカバー３０の荷重の略全てが軸受部に掛からないように、少なくとも軸部の下面側の外周面とこれに対面する軸受部の内周面とを非接触としてもよい。
【００４６】
また、本実施形態では、洗剤タンクカバー３０を、洗剤タンク２０の便器幅方向外方側部位を受け入れるような形状とした例を示しているが、このような態様に限られない。例えば、洗剤タンクカバー３０を、洗剤タンク２０に加え、その他のメンテナンスを要する部位を開閉自在に覆うものとしてもよく、洗剤投入部２１への洗剤の投入が可能なように、洗剤投入部２１を含みその周囲のみを開閉自在に覆うものとしてもよい。また、便器本体１０に対して着脱自在とされたものに限られず、着脱不能とされたものとしてもよい。
また、本実施形態では、洗剤タンク２０を、開口２５から便器幅方向外方側に突出するように設けた構成としているが、このような態様に限られず、例えば、全体が便器本体１０内に収納されるものとしてもよい。この場合は、洗剤タンクカバー３０を、サイドカバー２４の表面と略同一平面状となるような平板状のものとしてもよい。
また、本実施形態では、洗剤タンク２０を、タンク保持部１７に対して着脱自在とされたものとしているが、このような態様に限られない。例えば、洗剤タンク２０を、便器本体１０に着脱不能に固定されたものでもよく、また、便器本体１０の給排水機構等に一体的に設けられたものとしてもよい。
【符号の説明】
【００４７】
１      便器装置
１０    便器本体
１１    本体機構部
１５    支持片部（支持部）
１５ａ  受面部
１６    係止凹部（係止部）
１９    軸部
２０    洗剤タンク（洗剤貯留部）
２１    洗剤投入部
２４    サイドカバー
２５    開口
３０    洗剤タンクカバー（扉体）
３５    軸受部
３７    被支持片部（被支持部）
３７ａ  被受面部
３９    係止突部（係止部）
【図１】
0006579506.tif 000002
【図２】
0006579506.tif 000003
【図３】
0006579506.tif 000004
【図４】
0006579506.tif 000005
【図５】
0006579506.tif 000006